(57)【要約】【課題】連動制御した端末設備を逐次復旧することのできる火災報知設備を提供する。【解決手段】火災報知設備は、火災受信機と、端末設備を有し、火災受信機に接続される複数の出入力中継器とを有する火災報知設備であって、出入力中継器は、火災受信機からの駆動指令信号に基づいて端末設備に駆動信号を送信し、さらに端末設備の駆動にともなって発生する応答信号に基づいて応答指令信号を火災受信機に送信し、火災受信機は、各出入力中継器に設定された同一の連動制御が行われるゾーンおよび各ゾーンに設定された応答連動制御と応答自連動制御とのそれぞれの有無を示すゾーンアトリビュートを記憶した記憶手段と、出入力中継器から応答指令信号を受信したとき、ゾーンおよびゾーンアトリビュートに基づく連動制御のための駆動指令信号を出入力中継器に送信する連動制御手段と、を有する。【選択図】図４
2005078200.tif 000002
【特許請求の範囲】
【請求項１】
火災受信機と、
それぞれ端末設備を有し、上記火災受信機に接続される複数の出入力中継器と、
を有する火災報知設備であって、
上記出入力中継器は、
上記火災受信機からの駆動指令信号に基づいて上記端末設備に駆動信号を送信し、さらに上記端末設備の駆動にともなって発生する応答信号に基づいて応答指令信号を上記火災受信機に送信し、
上記火災受信機は、
上記各出入力中継器に設定された同一の連動制御が行われるゾーンおよび上記各ゾーンに設定された上記出入力中継器からの応答指令信号に対する応答連動制御と応答自連動制御とのそれぞれの有無を示すゾーンアトリビュートを記憶した記憶手段と、
上記出入力中継器から上記応答指令信号を受信したとき、上記ゾーンおよび上記ゾーンアトリビュートに基づく連動制御のための上記駆動指令信号を上記出入力中継器に送信する連動制御手段と、
を有することを特徴とする火災報知設備。
【請求項２】
上記連動制御手段は、
異なる上記ゾーンアトリビュートを有する複数のゾーンが設定された上記出入力中継器に、あらかじめ定められた応答連動制御および応答自連動制御のそれぞれの有または無を優先して連動制御のための上記駆動指令信号を送信することを特徴とする請求項１に記載の火災報知設備。
【請求項３】
上記火災受信機は、
外部からの入力に従って、上記ゾーンの内容を変更設定するゾーン設定手段を有することを特徴とする請求項１または２に記載の火災報知設備。
【請求項４】
上記火災受信機は、
外部からの入力に従って、上記ゾーンアトリビュートの内容を変更設定するゾーンアトリビュート設定手段を有することを特徴とする請求項１乃至３のいずれか一項に記載の火災報知設備。
【発明の詳細な説明】
【技術分野】
【０００１】
この発明は、火災受信機に複数の端末機器が接続された火災報知設備に関する。
【背景技術】
【０００２】
従来の火災報知設備は、信号線を介して複数の端末機器（感知器および中継器）が個別のアドレスを付与されて接続されている火災受信機を有し、この火災受信機は、区画情報を各端末機器に設定する区画設定手段と、区画が設定されているすべての端末機器を一覧表示する一覧表示手段とを備えている。これらの端末機器は、区画を設定することによって区画情報が付与されており、その区画情報に基づいて各区画内で連動制御される。同一の区画を設定された各端末機器は、同一の連動制御を行われる。各区画内の端末機器が発報した場合に、各区画内の被制御対象の端末機器が起動制御される。これらの区画の設定は、連動テーブルのデータとして記憶されている（例えば、特許文献１参照）。
【０００３】
【特許文献１】特開２００２−１３３５４９号公報
【発明の開示】
【発明が解決しようとする課題】
【０００４】
しかし従来の火災報知設備は、複数の出入力中継器および複数の端末設備が存在するゾーンの場合、設備同士は互いに情報を共有している。即ち、起動した端末設備から中継器への応答信号も共有する。応答連動制御および応答自連動制御で出入力中継器および端末設備を制御する火災報知設備は、ゾーンの中に複数の端末設備の応答信号（応答連動制御または応答自連動制御のすくなくともいずれか一方）が存在するため、一つの端末機器を復旧する時に、すべての端末設備を同時に復旧しなければならない。この同時に復旧する作業は、現場にとって非常にやっかいな作業であった。
【０００５】
この発明の目的は、ゾーンの設定により連動制御した端末設備を逐次復旧することのできる火災報知設備を提供することである。
【課題を解決するための手段】
【０００６】
この発明の火災報知設備は、火災受信機と、それぞれ端末設備を有し、上記火災受信機に接続される複数の出入力中継器と、を有する火災報知設備であって、上記出入力中継器は、上記火災受信機からの駆動指令信号に基づいて上記端末設備に駆動信号を送信し、さらに上記端末設備の駆動にともなって発生する応答信号に基づいて応答指令信号を上記火災受信機に送信し、上記火災受信機は、上記各出入力中継器に設定された同一の連動制御が行われるゾーンおよび上記各ゾーンに設定された上記出入力中継器からの応答指令信号に対する応答連動制御と応答自連動制御とのそれぞれの有無を示すゾーンアトリビュートを記憶した記憶手段と、上記出入力中継器から上記応答指令信号を受信したとき、上記ゾーンおよび上記ゾーンアトリビュートに基づく連動制御のための上記駆動指令信号を上記出入力中継器に送信する連動制御手段と、を有する。
【発明の効果】
【０００７】
この発明の火災報知設備に係わる効果は、火災受信機と、それぞれ端末設備を有し、上記火災受信機に接続される複数の出入力中継器と、を有する火災報知設備であって、上記出入力中継器は、上記火災受信機からの駆動指令信号に基づいて上記端末設備に駆動信号を送信し、さらに上記端末設備の駆動にともなって発生する応答信号に基づいて応答指令信号を上記火災受信機に送信し、上記火災受信機は、上記各出入力中継器に設定された同一の連動制御が行われるゾーンおよび上記各ゾーンに設定された上記出入力中継器からの応答指令信号に対する応答連動制御と応答自連動制御とのそれぞれの有無を示すゾーンアトリビュートを記憶した記憶手段と、上記出入力中継器から上記応答指令信号を受信したとき、上記ゾーンおよび上記ゾーンアトリビュートに基づく連動制御のための上記駆動指令信号を上記出入力中継器に送信する連動制御手段と、を有するので、連動制御を用いている火災報知設備の復旧において、火災報知設備に接続された端末設備を順次復旧することにより全体を復旧することができる。
【発明を実施するための最良の形態】
【０００８】
図１は、この発明に係わる火災報知設備の構成を示すブロック図である。
火災報知設備１は、感知器２ａ、２ｂ、２ｃ、火災受信機３、中継器４ａ１〜４ａ５、４ｂ１〜４ｂ２、４ｃ１〜４ｃ２を備え、信号線により接続されている。中継器４ａ１〜４ａ５、４ｂ１〜４ｂ２にそれぞれ端末設備が接続されている。この火災報知設備１における端末機器は、感知器２ａ、２ｂ、２ｃと中継器４ａ１〜４ａ５、４ｂ１〜４ｂ２、４ｃ１〜４ｃ２とから構成されている。
出入力中継器（一般的に有電圧中継器）４ａ１〜４ａ５は、火災受信機３からの駆動指令信号を受信し、端末設備５に駆動信号を送信し、逆に、端末設備５から発せられる駆動有の応答信号を受信し、応答指令信号を火災受信機３に向けて送信するように双方向通信を行う。
出力中継器（一般的に無電圧中継器）４ｂ１〜４ｂ２は、火災受信機３からの駆動指令信号を受信し、端末設備５に駆動信号を送信する。
入力中継器４ｃ１〜４ｃ２は、外部から発信される入力信号を受信し、火災受信機３に向けて送信する。
これらの各信号は信号線を介して送受信され、火災受信機３と各端末設備５との間で信号伝送によってポーリング動作が行われる。
【０００９】
火災受信機３は、感知器２ａ、２ｂ、２ｃから送信される火災信号、出入力中継器４ａ１〜４ａ５から送信される応答指令信号、入力中継器４ｃ１〜４ｃ２から送信される入力信号をそれぞれ受信し、火災の発生の有無、火災発生の箇所、火災の大きさなどを判断し、必要な処置のために該当する端末設備５の駆動を指令する駆動指令信号を該当する中継器に送信する。
火災受信機３は、ＣＰＵ、ＲＡＭ、フラッシュメモリー、インタフェース回路を含むマイクロコンピュータ（ＭＰＵ）６、外部から必要な設定のためのデータを入力する入力装置としてのキーボード７、設定内容を表示するディスプレイ８を備えている。
火災受信機３のマイクロコンピュータ６は、火災報知設備１全体の制御を行う。さらに各端末機器に対して設定されたゾーンに基づいた連動制御を行う。具体的には、あるゾーンに含まれる感知器、中継器すべてを同一の連動制御を行う。端末機器に対するゾーンの設定は外部から行われる。
同一の連動制御とは、あるゾーンに含まれる端末機器に対する応答連動制御、応答自連動制御および火災連動制御の有無が等しいことである。この有無をそれぞれのゾーンに対して設定したのがゾーンアトリビュートである。ゾーンアトリビュートもゾーンの設定と同様に外部から設定される。
マイクロコンピュータ６は、図２に示したように、ゾーンの配置を示すゾーン配置一覧表とゾーンアトリビュート一覧表を記憶した記憶手段９と、外部からの感知器と中継器に対するゾーンの設定に基づいてゾーン配置一覧表を変更するゾーン設定手段１０と、外部からの各ゾーンに対するアトリビュート（属性）の設定に基づいてゾーンアトリビュート一覧表を変更するゾーンアトリビュート設定手段１１と、各中継器を連動制御する連動制御手段１２とを有している。
連動制御手段１２は、各ゾーンに設定されたゾーンアトリビュートに基づいて応答連動制御を行う応答連動手段１３と、各ゾーンに設定されたゾーンアトリビュートに基づいて応答自連動制御を行う応答自連動手段１４と、火災信号に対応し、火災連動制御有りを設定したゾーンが設定された中継器に指令信号を送信する火災連動手段１５とを有する。
【００１０】
次に、図１、図３および図４を参照してゾーン設定、ゾーンアトリビュート設定について説明する。
この火災報知設備１は、火災受信機３に接続された感知器と中継器にアドレスＡＤ１〜ＡＤ１２を付与している。
さらに、ゾーン設定手段１０は、キーボード７から入力されたアドレス付与された機器に対するゾーン情報に基づいて、ゾーン配置を設定する。このゾーン配置を図３に示すゾーン配置一覧表として作成し、記憶手段９としてのマイクロコンピュータ６のフラッシュメモリーに記憶する。
ゾーンアトリビュート設定手段１１は、キーボード７から入力された各ゾーンに対するゾーンアトリビュート情報（応答連動制御の有無、応答自連動制御の有無および火災連動制御の有無を含む。）に基づいてゾーンアトリビュートを設定する。このゾーンアトリビュートを図４に示すゾーンアトリビュート一覧表として作成し、記憶手段９としてのマイクロコンピュータ６のフラッシュメモリーに記憶する。
上記ゾーン配置一覧表および上記ゾーンアトリビュート一覧表は、設定器で設定して、データベース全体としてフラッシュメモリーに書き込まれることもできる。
【００１１】
次に、図４のゾーンアトリビュート一覧表の内容について説明する。ゾーンアトリビュート情報の内容は、３つの項目において設定される。項目として、応答連動制御、応答自連動制御、火災連動制御である。
応答連動制御とは、ゾーンに含まれる中継器から送信された応答指令信号に基づき、他の中継器に駆動指令信号を送信することである。
応答自連動制御とは、出入力中継器から送信された応答指令信号に基づいて、その応答指令信号を発している出入力中継器に駆動指令信号を送信することである。
火災連動制御とは、感知器から発信された火災信号に基づいてすべての中継器に駆動指令信号を送信することである。
【００１２】
次に、火災受信機３の連動制御（以下、応答連動制御、応答自連動制御、火災連動制御を含む。）の手順について説明する。
火災が発生し、感知器２ａから火災信号が発信されたとき、火災受信機３において、火災連動手段１５は、マイクロコンピュータ６のフラッシュメモリーからゾーン配置一覧表を読み出し、感知器２ａと同じゾーンＺ００１に含まれる中継器４ａ１、４ａ２、４ｂ１に駆動指令信号を送信する。
この駆動指令信号に基づいて、中継器４ａ１、４ａ２、４ｂ１からそれぞれ接続された端末設備５に駆動信号が出力され、端末設備５が動作する。端末設備５のうち、動作があったことを示す応答信号を発信する端末設備５から応答信号が発信され、出入力中継器４ａ１、４ａ２に入力される。この応答信号は入出力中継器４ａ１、４ａ２により中継されて火災受信機３に応答指令信号として入力される。
火災受信機３において、応答連動手段１３は、マイクロコンピュータ６のフラッシュメモリーからゾーン配置一覧表とゾーンアトリビュート一覧表とを読み出し、応答連動制御ありのゾーンに含まれる中継器に駆動指令信号を送信する。
また、火災受信機３において、応答自連動手段１４は、マイクロコンピュータ６のフラッシュメモリーからゾーン配置一覧表とゾーンアトリビュート一覧表とを読み出し、応答指令信号を発信した中継器が応答自連動制御ありのゾーンに含まれているかどうか判断し、含まれているとき、その中継器に駆動指令信号を送信する。
なお、中継器への送信は、アドレスにより指定され、個々の中継器に信号が送信される。
このようにゾーンに新たに応答連動制御、応答自連動制御、火災連動制御の有無というアトリビュート（属性）を付与することにより、中継器に対する応答連動、応答自連動、火災連動を制御することができる。
【実施例】
【００１３】
図５に、この発明の実施例１の火災報知設備のブロック図を示す。図６は、図５のゾーン配置一覧表である。図７は、図５のゾーンアトリビュート一覧表を示す。
火災受信機３に出入力中継器Ｆ４ａ６、出入力中継器Ｇ４ａ７、出力中継器Ｃ４ｂ３が接続されている。図６に示すように、火災受信機３において、出入力中継器Ｆ４ａ６と出入力中継器Ｇ４ａ７はゾーンＺ００１に、出入力中継器Ｇ４ａ７と出力中継器Ｃ４ｂ３はゾーンＺ００２に設定されている。図７に示すように、ゾーンＺ００１のゾーンアトリビュートは、応答連動制御あり、応答自連動制御ありと設定されている。また、ゾーンＺ００２のゾーンアトリビュートは、応答連動制御あり、応答自連動制御なしと設定されている。なお、中継器に複数のゾーンが設定され、そのゾーンアトリビュートが異なっているときは、応答連動制御については、ありが優先され、応答自連動制御についてはなしが優先される。火災連動制御はゾーンＺ００１とＺ００２ともにありに設定されている。
【００１４】
出入力中継器Ｆ４ａ６の入力端子ＦＩＮにはスイッチ１６が接続されている。出入力中継器Ｆ４ａ６の出力端子ＦＯＵＴには、ランプ（ＬＡＭＰ）１７が接続され、駆動信号が受信されるとランプ１７が点灯する。
出入力中継器Ｇ４ａ７の入力端子ＧＩＮには、ファン１８が回転している状態を示す信号線が入力されている。出入力中継器Ｇ４ａ７の出力端子ＧＯＵＴには、ファン１８を駆動する動力線が接続されている。
出力中継器Ｃ４ｂ３の出力端子ＣＯＵＴにはグラフィックパネル（ＧＰ）１９の動力線が接続されている。
【００１５】
出入力中継器Ｆ４ａ６の駆動要因、すなわち出入力中継器Ｆ４ａ６の出力端子ＦＯＵＴに駆動用に信号が入る要因は、スイッチ１６のＯＮ（ゾーンＺ００１の応答自連動制御ありによる。）とファン１８の回転（ゾーンＺ００１の応答連動制御ありによる。）である。
出入力中継器Ｇ４ａ７の駆動要因、すなわち出入力中継器Ｇ４ａ７の出力端子ＧＯＵＴに駆動用に信号が入る要因は、スイッチ１６のＯＮ（ゾーンＺ００１の応答連動制御ありによる。）である。一方、ファン１８の回転は、ゾーンＺ００１では応答自連動制御ありであるが、ゾーンＺ００２は応答自連動制御なしである。この場合、応答自連動制御に関して、なしが優先して判断に採用されるので、ゾーンＺ００２の設定が優先されるので、応答自連動制御なしとなり、ファン１８の回転は要因とならない。
出力中継器Ｃ４ｂ３の駆動要因、すなわち出力中継器Ｃ４ｂ３の出力端子ＣＯＵＴに駆動用に信号が入る要因は、ファン１８の回転（ゾーンＺ００２の応答連動制御ありによる。）である。
【００１６】
このようなゾーンおよびゾーンアトリビュートを設定された火災報知設備において、火災が発生した場合、スイッチ１６をＯＮしたときの応答を説明する。
スイッチ１６をＯＮすると、出入力中継器Ｆ４ａ６と出入力中継器Ｇ４ａ７の駆動要因が働くので、ランプ１７が点灯され、同時にファン１８が回転する。ファン１８が回転すると、出入力中継器Ｆ４ａ６と出力中継器Ｃ４ｂ３の駆動要因が働くので、ランプ１７が点灯し、グラフィックパネル１９も点灯する。
このように、スイッチ１６をＯＮすることにより、ランプ１７が点灯し、ファン１８が回転し、グラフィックパネル１９が点灯して、火災発生に対応できる。
【００１７】
次に、火災が収まったのち、それぞれを解除する動作について説明する。
スイッチ１６をＯＦＦとすると、上述の駆動要因のうち、出入力中継器Ｆ４ａ６の応答自連動制御と、出入力中継器Ｇ４ａ７の応答連動制御とが解除される。出入力中継器Ｇ４ａ７の駆動要因は、スイッチ１６のＯＮによる応答連動制御だけであるので、ファン１８は停止する。ファン１８が停止すると、出入力中継器Ｆ４ａ６の駆動要因のうち、ファン１８の回転の要因はなくなるので、ランプ１７は消灯する。さらに、出力中継器Ｃ４ｂ３の駆動要因は、ファン１８の回転であるので、ファン１８が停止して駆動要因がなくなり、グラフィックパネル１９が消灯される。このように、スイッチ１６だけをＯＦＦすることにより、すべての端末設備は復旧できる。
【００１８】
同様な出入力中継器Ｆ、Ｇ、出力中継器Ｃを同様なゾーン設定を行い、ゾーンＺ００１とＺ００２ともゾーンアトリビュートを応答連動制御および応答自連動制御ともありとしたときの動作について説明する。
出入力中継器Ｆ４ａ６の駆動要因、すなわち出入力中継器Ｆ４ａ６の出力端子ＦＯＵＴに駆動用に信号が入る要因は、スイッチ１６のＯＮ（ゾーンＺ００１の応答自連動制御ありによる。）とファン１８の回転（ゾーンＺ００１の応答連動制御ありによる。）である。
出入力中継器Ｇ４ａ７の駆動要因、すなわち出入力中継器Ｇ４ａ７の出力端子ＧＯＵＴに駆動用に信号が入る要因は、スイッチ１６のＯＮ（ゾーンＺ００１の応答連動制御ありによる。）とファン１８の回転（ゾーンＺ００２の応答自連動制御ありによる。）である。
出力中継器Ｃ４ｂ３の駆動要因、すなわち出力中継器Ｃ４ｂ３の出力端子ＣＯＵＴに駆動用に信号が入る要因は、ファン１８の回転（ゾーンＺ００２の応答連動制御ありによる。）である。
【００１９】
このようなゾーンおよびゾーンアトリビュートを設定された火災報知設備において、火災が発生した場合、スイッチ１６をＯＮしたときは、上述のゾーンアトリビュートと同様にすべての端末設備を駆動することができる。一方、火災が収まったのち、端末設備を復旧する場合について説明する。
スイッチ１６をＯＦＦすると、出入力中継器Ｇ４ａ７の応答連動制御によるファン１８の回転の要因は解消される。しかし、ファン１８の回転による応答自連動制御で出入力中継器Ｇ４ａ７の駆動要因は解消されない。このため、ファン１８は回転した状態が続き、復旧ができなくなる。よって、すべての端末設備を逐次復旧させる場合、ゾーンＺ００１とＺ００２ともゾーンアトリビュートは応答連動制御および応答自連動制御ともありとすることではなく、ゾーンＺ００１のゾーンアトリビュートを応答連動制御および応答自連動制御ありとし、また、ゾーンＺ００２のゾーンアトリビュートを応答連動制御あり、応答自連動制御なしと設定しなければならない。
【００２０】
このようにゾーンにゾーンアトリビュートを設定することにより、連動制御を用いている火災報知設備の復旧において、火災報知設備に接続された端末設備を順次復旧することにより全体を復旧することができる。
【図面の簡単な説明】
【００２１】
【図１】この発明に係わる火災報知設備の構成を示すブロック図である。
【図２】火災受信機のマイクロコンピュータの機能を示す図である。
【図３】図１のゾーン配置一覧表である。
【図４】図１のゾーンアトリビュート一覧表である。
【図５】この発明の一実施例に係わる火災報知設備の構成を示すブロック図である。
【図６】図５のゾーン配置一覧表である。
【図７】図６のゾーンアトリビュート一覧表である。
【符号の説明】
【００２２】
１  火災報知設備、２、２ａ、２ｂ、２ｃ  感知器、３  火災受信機、４ａ１〜４ａ７  出入力中継器、４ｂ１〜４ｂ３  出力中継器、４ｃ１〜４ｃ２  入力中継器、５  端末設備、６  マイクロコンピュータ（ＭＰＵ）、７  キーボード、８  ディスプレイ、９  記憶手段、１０  ゾーン設定手段、１１  ゾーンアトリビュート設定手段、１２  連動制御手段、１３  応答連動手段、１４  応答自連動手段、１５  火災連動手段、１６  スイッチ、１７  ランプ（ＬＡＭＰ）、１８  ファン（ＦＡＮ）、１９  グラフィックパネル（ＧＰ）。
【図１】
2005078200.tif 000003
【図２】
2005078200.tif 000004
【図３】
2005078200.tif 000005
【図４】
2005078200.tif 000006
【図５】
2005078200.tif 000007
【図６】
2005078200.tif 000008
【図７】
2005078200.tif 000009